(57)【要約】【課題】吐水管を太くすることによってデザイン性・外観を悪化させることなく、しかもインナ部材を容易に吐水管内に挿入することのできる自動水栓を提供する。【解決手段】吐水管本体２４内に、引き出し可能な可撓性のホース及び人体検知センサ１１６，１１８と制御部とを繋ぐ電気配線１７２が挿通され、更に電気配線１７２をホースから保護するインナ部材１２６が挿入されて成る自動水栓において、水栓の本体部に対して直管状の回転スリーブ１７４を介して吐水管本体２４を回転可能に保持させるとともに、インナ部材１２６を湾曲形状の第１部分１２６-１と、回転スリーブ１７４内の管軸方向にストレート形状をなす第２部分１２６-２とに管軸方向に分割構成とする。【選択図】        図６
2006144326.tif 000002
【特許請求の範囲】
【請求項１】
水栓の本体部から湾曲形状で延び出した吐水管内に、吐水ヘッドとともに引き出し可能な可撓性のホースと、該吐水管の先端部に備えられた人体検知センサと制御部とを繋ぐ電気配線が挿通されるとともに更に該吐水管内には、該吐水管に沿って管軸方向に延び、前記電気配線を前記引き出し可能なホースから保護するインナ部材が挿入されて成る自動水栓において
前記水栓の本体部に対して回転可能な直管状の回転スリーブを前記吐水管の基端側に該吐水管とは別体に又は一体に構成して、該回転スリーブを介して該吐水管を該本体部に回転可能に保持させるとともに、前記インナ部材を該吐水管内の湾曲形状の第１部分と、該回転スリーブ内の、管軸方向にストレート形状をなす第２部分とに該管軸方向に分割構成としたことを特徴とする自動水栓。
【請求項２】
請求項１において、前記第２部分は平板状をなしていることを特徴とする自動水栓。
【請求項３】
請求項１，２の何れかにおいて、前記第２部分の下端部には該第２部分を前記回転スリーブとともに前記水栓の本体部に対して回転させるためのスリップリングが一体に備えてあることを特徴とする自動水栓。
【請求項４】
請求項３において、前記スリップリングは前記回転スリーブの外周面よりも径方向の外側に設けられていて、該スリップリングと前記第２部分とがブリッジ部にて該径方向に繋がれており、該回転スリーブには該ブリッジ部を該径方向に通すためのスリットが設けてあることを特徴とする自動水栓。
【請求項５】
請求項１〜４の何れかにおいて、前記第１部分と第２部分とにはそれらを共回りさせる共回り手段が設けてあることを特徴とする自動水栓。
【発明の詳細な説明】
【技術分野】
【０００１】
この発明は人体検知センサによる人体検知に基づいて吐水を自動的に行う自動水栓に関し、詳しくは吐水管の先端部の吐水ヘッドが可撓性のホースとともに引き出し可能なホース収納式の自動水栓に関する。
【背景技術】
【０００２】
従来より、人体検知センサによる人体検知に基づいて自動的に吐水を行う自動水栓が広く用いられている。
ところで近年、特にキッチン水栓等として例えば下記特許文献１に開示のようにホース収納式の水栓、詳しくは吐水管内に可撓性のホースが引き出し可能に収納され、かかるホースが吐水ヘッドとともに引き出し可能とされたホース収納式の水栓が好んで用いられるようになって来ている。
【０００３】
このホース収納式の自動水栓の場合、人体検知センサと制御部とを繋ぐ電気配線が可撓性のホースとともに吐水管内に挿通される。
この場合、ホースと電気配線とが吐水管内で直接接触していると、可撓性のホースを吐水ヘッドとともに引き出し又は収納する際に電気配線がホースによって擦られてしまったり或いは絡まったりしてしまう恐れが生ずる。
【０００４】
そこで例えば下記特許文献１に開示のホース収納式の自動水栓においては、吐水管に沿って管軸方向に延びるインナ部材を吐水管内に挿入して、かかるインナ部材によって引き出し可能なホースの収納空間と電気配線の収納空間とを仕切り、それらが直接接触して擦れ合ったり絡まり合ったりしないようにしている。
【０００５】
ところで、キッチン水栓等においては使用の際の利便性・使い勝手を考えると、吐水管を水栓の本体部に対して回転可能としておくことが望ましく、そのために吐水管の基端側をかかる吐水管と別体に構成した又は一体に構成した直管状の回転スリーブを介して水栓の本体部に回転可能に保持させるようになしておくことが考えられる。
この場合、上記インナ部材は吐水管に対応した形状となしておいて、これを上記回転スリーブの内部まで吐水管内に挿入しておくこととなる。
【０００６】
ところが吐水管が大きく湾曲した形状をなしていると、これに対応した湾曲形状をなし且つ回転スリーブ側においてストレート形状をなすインナ部材を吐水管内に挿入することが難しく、その挿入性を確保するためには吐水管を太くせざるを得ない。
しかしながらこのようにすると吐水管のデザイン性・外観が悪化してしまう問題を生ずる。
【０００７】
【特許文献１】特開平９−１４４０８８号公報
【発明の開示】
【発明が解決しようとする課題】
【０００８】
本発明は以上のような事情を背景とし、吐水管が太くなることによってデザイン性・外観が悪化してしまうことがなく、しかもインナ部材を容易に吐水管内に挿入することのできる自動水栓を提供することを目的としてなされたものである。
【課題を解決するための手段】
【０００９】
而して請求項１のものは、水栓の本体部から湾曲形状で延び出した吐水管内に、吐水ヘッドとともに引き出し可能な可撓性のホースと、該吐水管の先端部に備えられた人体検知センサと制御部とを繋ぐ電気配線が挿通されるとともに更に該吐水管内には、該吐水管に沿って管軸方向に延び、前記電気配線を前記引き出し可能なホースから保護するインナ部材が挿入されて成る自動水栓において、前記水栓の本体部に対して回転可能な直管状の回転スリーブを前記吐水管の基端側に該吐水管とは別体に又は一体に構成して、該回転スリーブを介して該吐水管を該本体部に回転可能に保持させるとともに、前記インナ部材を該吐水管内の湾曲形状の第１部分と、該回転スリーブ内の、管軸方向にストレート形状をなす第２部分とに該管軸方向に分割構成としたことを特徴とする。
【００１０】
請求項２のものは、請求項１において、前記第２部分は平板状をなしていることを特徴とする。
【００１１】
請求項３のものは、請求項１，２の何れかにおいて、前記第２部分の下端部には該第２部分を前記回転スリーブとともに前記水栓の本体部に対して回転させるためのスリップリングが一体に備えてあることを特徴とする。
【００１２】
請求項４のものは、請求項３において、前記スリップリングは前記回転スリーブの外周面よりも径方向の外側に設けられていて、該スリップリングと前記第２部分とがブリッジ部にて該径方向に繋がれており、該回転スリーブには該ブリッジ部を該径方向に通すためのスリットが設けてあることを特徴とする。
【００１３】
請求項５のものは、請求項１〜４の何れかにおいて、前記第１部分と第２部分とにはそれらを共回りさせる共回り手段が設けてあることを特徴とする。
【発明の作用・効果】
【００１４】
以上のように本発明は、インナ部材を吐水管内の湾曲形状の第１部分と回転スリーブ内の管軸方向にストレート形状をなす第２部分とに管軸方向に分割構成となしたもので、本発明によれば回転スリーブ内の狭い空間にも容易にインナ部材を挿入することができる。
また本発明によれば、インナ部材を吐水管内及び回転スリーブ内に容易に挿入することができることから、インナ部材挿入のために吐水管を太くしなくても良く、かかる吐水管を細く構成し得て吐水管のデザイン性・外観を良好に保持することができる。
【００１５】
この場合において、上記第２部分は平板状となしておくことができる（請求項２）。
【００１６】
請求項３は、第２部分の下端部にかかる第２部分を回転スリーブとともに水栓の本体部に対して回転させるためのスリップリングを一体に備えたもので、この請求項３によればスリップリングを別部品として必要とせず、所要部品点数を少なくすることができ、従ってまた組付けの手間も簡略化することができる。
【００１７】
この場合においてスリップリングは回転スリーブの外周面よりも径方向の外側に設けておき、そしてスリップリングと第２部分とをブリッジ部にて径方向に繋ぐとともに、回転スリーブにはそのブリッジ部を径方向に通すためのスリットを設けておくことができる(請求項４)。
このようにすることで、スリップリングを回転スリーブの外側に位置させながら、かかるスリップリングと第２部分とを一体構成となすことができる。
【００１８】
請求項５は、第１部分と第２部分とにそれらを共回りさせる共回り手段を設けたもので、このようにしておけば、吐水管及び回転スリーブ内において第１部分と第２部分とが相対回転することにより、ホースや電気配線に捩れが生ずるのを良好に防止することができる。
【発明を実施するための最良の形態】
【００１９】
次に本発明をキッチン用のホース収納式の自動水栓に適用した場合の実施形態を図面に基づいて詳しく説明する。
図１において、１０はキッチンのキャビネットで、１２はカウンターであり、このカウンター１２上に起立する状態で水栓の本体部１４と吐水管１６とが設けられている。ここで吐水管１６は本体部１４に対して所定角度回転可能とされている。
また吐水管１６は、図３に示しているように逆Ｕ字状のグースネック形状をなしている。
同図に示しているように吐水管１６は、先端に吐水口１８を有し、可撓性のホース２０とともに引出し可能な吐水ヘッド２２と、吐水管本体２４とを有している。
【００２０】
図１に示しているように、キャビネット１０の内部には一対の止水栓２８，３０の間の位置においてバルブユニット２６が配設されている。
そしてこのバルブユニット２６の後述の水流入口に対して給水用の元配管（以下単に給水元管と略す）が止水栓２８，分岐継手３２及び接続ホース３４を介して接続されている。
また後述の湯流入口に対して給湯用の元配管（以下単に給湯元管と略す）が、止水栓３０及び接続ホース３６を介して接続されている。
このバルブユニット２６の水流出口及び湯流出口からは水，湯のサプライ管３８，４０が上向きに延び出しており、それらの先端が上記の水栓の本体部１４に接続されて、その本体部１４に水，湯がそれぞれ供給されるようになっている。
【００２１】
本体部１４には後述の混合弁５８（図２参照）が内蔵されていて、その混合弁５８の下流部から水又は湯（混合弁５８で温調された湯）を流出させる流出管４２が下向きに延び出しており、その先端がカプラ４４を介して上記の可撓性のホース２０に接続されている。
ここでホース２０はカプラ４４から上向きに延び出した後、１回転した上で本体部１４，吐水管本体２４を挿通し吐水ヘッド２２に接続されている。
【００２２】
キャビネット１０の内部にはまた浄水器４６が設けられており、バルブユニット２６の上流部において給水元管からの水が分岐継手３２，ホース４８を通じてこの浄水器４６に導かれるようになっている。
浄水器４６は、水道水を後述のフィルタ６６（図２参照）に通して浄化するもので、その浄化後の浄水を流出させるホース５０が浄水器４６から延び出している。
このホース５０の先端はカプラ４４を介して、吐水ヘッド２２に繋がるホース２０に接続されている。
即ち浄水器４６から流出した浄水がホース５０，２０を通じて吐水ヘッド２２に導かれ、その先端の吐水口１８から吐水されるようになっている。
ここでカプラ４４には、吐水の温度をその上流部で検出する温度検出素子としてのサーミスタ１７０が内部の流路に臨む状態で取付けられている。
【００２３】
キャビネット１０の内部にはまた、バルブユニット２６の下側において水栓の動作制御のためのコントローラ（制御部）５２が設けられている。
【００２４】
図２に示しているように本実施形態において給水元管，給湯元管からの水，湯は給水路５４，給湯路５６を通じて本体部１４に内蔵された混合弁５８に供給される。
供給された水と湯とはレバーハンドル６０の操作に基づいて所定比率で混合された上、同じくそのレバーハンドル６０の操作に基づいて決定された所定流量で流出路６２を通じ吐水ヘッド２２に送られ、先端の吐水口１８から吐水される。
ここでレバーハンドル６０は、左右回動操作によって水と湯との混合比率の調節即ち温度調節を行い、また上下回動操作によって流量調節を行う。
【００２５】
給水元管からの水はまた、電磁弁６８の上流部で給水路５４から分岐した浄水路６４に取り出され、そして浄水路６４上に設けられた浄水器４６のフィルタ６６を通過してそこで浄化された上で、浄化後の水（浄水）が混合弁５８をバイパスして流出路６２に導かれ、そしてその流出路６２を通じて吐水ヘッド２２の吐水口１８から吐水されるようになっている。
これら給水路５４，給湯路５６及び浄水路６４のそれぞれには流路を開閉する電磁弁６８，７０，７２及び逆流防止をなす逆止弁７４が配設されている。
尚浄水路６４には定流量弁７３が設けられている。
【００２６】
給水路５４からはまた、電磁弁６８の上流部においてバイパス路７６が分岐して延び出しており、その先端が給湯路５６且つ電磁弁７０及び逆止弁７４の下流部に接続されている。
このバイパス路７６上にもまた、流路を開閉する電磁弁７８と逆止弁７４が設けられている。
これら電磁弁６８，７０，７２，７８はそれぞれコントローラ５２に電気的に接続されていて、コントローラ５２によって動作制御される。
【００２７】
本実施形態において、給水路５４と給湯路５６とを連絡するバイパス路７６を設けているのは次のような理由による。
即ちレバーハンドル６０の操作位置が、混合弁５８内における湯の流路を全開、水の流路を全閉状態とする状態にあると、後述する人体検知センサ（水用センサ１１６）による人体検知に基づいて吐水口１８から水吐水させようとしてもこれを行うことができない。
そこで給水路５４と給湯路５６とをバイパス路７６で連絡しておき、混合弁５８内において水の流路が全閉状態にあっても、給水元管からの水をバイパス路７６，給湯路５６，更に流出路６２を通じて吐水口１８へと供給可能となしているのである。
【００２８】
この実施形態の自動水栓では、図１０（Ａ）に示しているように電磁弁６８及び７８が開，電磁弁７０，７２が閉とされることで、給水路５４及びバイパス路７６、更に給湯路５６の一部を通じて給水元管からの水が混合弁５８に送られ、更にその混合弁５８を経由して流出路６２を通じ、吐水口１８から水が吐水（水吐水）される。
また図１０（Ｂ）に示しているように電磁弁６８及び７０が開，電磁弁７２及び７８が閉の状態の下で、給水元管からの水と給湯元管からの湯がそれぞれ給水路５４及び給湯路５６を通じて混合弁５８に送られてそこで混合され、適温の湯とされた上で流出路６２を通じ吐水口１８から湯が吐水（湯吐水）される。
一方図１０（Ｃ）に示しているように電磁弁６８，７０及び７８の何れもが閉で、電磁弁７２のみが開の状態の下では、給水元管からの水が浄水器４６、つまり浄水路６４の側に導かれてフィルタ６６を通り、浄水となって流出路６２を通じ吐水口１８から吐水（浄水吐水）される。
【００２９】
図３に示しているように、逆Ｕ字状のグースネック形状をなす吐水管１６における吐水管本体２４の先端部、詳しくはその最上位の部位から先端に向かって下向きとなる部分の上面に、水用センサ（水用の人体検知センサ）１１６及び湯用センサ（湯用の人体検知センサ）１１８が、所定間隔隔てて管軸方向に一列に配列されている。
ここで水用センサ１１６は使用者に近い手前側に（前側に）、また湯用センサ１１８は奥側に設けられている。従って水用センサ１１６は湯用センサ１１８に対して下位置に、また湯用センサ１１８は水用センサ１１６に対して上位置に位置している。
本実施形態においては、吐水管本体２４の側面においても浄水用センサ（浄水用の人体検知センサ）１２０が設けられている。
尚吐水管本体２４の先端部下面には、吐水やシンク或いはシンク内の容器等に光を照射してほのかに照らし出す光照射部１２２が設けられている。
【００３０】
この実施形態の自動水栓では、水用センサ１１６の上方に手をかざして水用センサ１１６によりこれを検知させると、吐水口１８から水が吐水（水吐水）される。また水吐水状態の下で再び水用センサ１１６の上方に手をかざすと、そこで水吐水が停止する。即ち止水する。
一方湯用センサ１１８の上方に手をかざすと、湯用センサ１１８による手の検知に基づいて、吐水口１８から適正温度に温度調節された湯（温調水）が吐水され、そしてその湯吐水中に再び湯用センサ１１８の上方に手をかざすと、そこで湯吐水が停止する。
【００３１】
一方図９に示しているように吐水管本体２４の先端部側方に手を差し出すと、浄水用センサ１２０がこれを検知し、吐水口１８から浄水が吐水（浄水吐水）される。また浄水吐水状態の下で再び浄水用センサ１２０に対して手をかざすと、そこで浄水吐水が停止する。
そのようにコントローラ５２が対応する各電磁弁６８，７０，７２，７８を動作制御する。
【００３２】
図４〜図７に吐水管１６の構成が具体的に示してある。
図４，図５及び図６に示しているように、吐水管１６は金属パイプから成る吐水管本体２４と、吐水管本体２４内に挿入されたインナ部材１２６と、その先端側に設けられてホース２０を挿通ガイドする概略筒状のガイド部材１２８と、その下側からこれを被うガイドカバー１３０とを有している。
吐水管本体２４内にはまた、上記可撓性のホース２０及び水，湯，浄水用の各センサ１１６，１１８，１２０とコントローラ５２とを繋ぐ電気配線１７２が挿通されており、そしてそれらの収納空間が上記インナ部材１２６にて仕切られている。
【００３３】
図７に示しているようにガイド部材１２８の上面には仕切板１３１が固定されており、そしてその仕切板１３１の上面に上記水用センサ１１６，湯用センサ１１８を有するセンサユニット１３２，１３４が載置固定された上、その上側から樹脂製の透光性のセンサカバー１３６が被せられている。
ガイド部材１２８には、その側面に浄水用センサ１２０が取り付けられている。ガイドカバー１３０は、その浄水用センサ１２０に対応する部分が透光性とされている。
【００３４】
上記湯用センサ１１８は光電式のものであって、図８（Ａ）に示しているようにこの湯用センサ１１８を有するセンサユニット１３４は基板１４０を有していて、そこに赤外線の発光素子１４２と、受光素子１４４と、センサ制御部としてのマイコン１４６が搭載されている。
基板１４０にはまた、湯吐水状態であるかそうでないかを表示するためのＬＥＤ１４８が搭載されており、湯吐水状態の下ではこのＬＥＤ１４８が点滅し、またそうでないときにはＬＥＤ１４８が点灯保持するようになっている。
【００３５】
一方図８（Ｂ）に示しているように、水用センサ１１６を有するセンサユニット１３２は、基板１４０に赤外線の発光素子１４２と、受光素子１４４と、更に水吐水中であるか否かを表示するＬＥＤ１５０が搭載されている。
ここでＬＥＤ１５０は水吐水中であれば点滅を行い、またそうでないときには点灯状態を保持して、水吐水中であるか否かを表示する。
このセンサユニット１３２にはまた、基板１４０に現在の吐水温度を表示するための３色（ＲＧＢ）ＬＥＤ１５２が搭載されている。
【００３６】
一方図８（Ｃ）に示しているように浄水用センサ１２０を有するセンサユニット１３８は、基板１４０に赤外線の発光素子１４２と、受光素子１４４及び浄水吐水中であるか否かを表示するためのＬＥＤ１５４が搭載されている。
このＬＥＤ１５４は浄水吐水中においては点滅動作し、またそうでないときには点灯状態を保持することによって、浄水吐水中であるか否かを表示する。
【００３７】
一方吐水ヘッド２２は、図５に示しているように筒状のコア部材１５６と、これを外周側から覆うカバー１５８とを有しており、そのコア部材１５６に対してホース２０の先端部が水密に接続固定されている。
この吐水ヘッド２２の先端には、吐水口１８からの吐水をストレート吐水からシャワー吐水に又はその逆に切換操作する切換操作部１６０が設けられている。
【００３８】
吐水管本体２４と吐水ヘッド２２との間には、図４及び図５に示しているように、それらによって管軸方向に挟まれるようにして温度表示リング１６２が取り付けられている。
この温度表示リング１６２は、概略リング状をなす透光性の樹脂から成っていて、図５の部分拡大図に示しているように後方への延出部１６４が一体に成形されており、この延出部１６４に対して上記３色ＬＥＤ１５２からの光が照射されるようになっている。
３色ＬＥＤ１５２から延出部１６４に照射された光は、温度表示リング１６２の内部を通ってその外周面から周辺に放射される。
【００３９】
３色ＬＥＤ１５２は赤（Ｒｅｄ），緑（Ｇｒｅｅｎ）及び青（Ｂｌｕｅ）を発色するＬＥＤをユニット化したもので、無段階で連続的に色変化が可能であり、温度表示リング１６２はその色変化に基づいて吐水温度を表示する。
即ち吐水温度が低いときには青色を、吐水温度が高いときには赤色を、中間のときにはそれらに応じた色を発色して現在の吐水温度がどのような温度であるかをその色変化によって表示する。
【００４０】
図１１〜図１３に示しているように、吐水管本体２４の基端側には、吐水管本体２４とは別体をなす回転スリーブ（ここでは金属製）１７４が吐水管本体２４と一体回転する状態で設けられており、かかる吐水管本体２４が、回転スリーブ１７４を介して水栓の本体部１４の保持孔１７６において回転可能に保持されている。
【００４１】
回転スリーブ１７４は、その上端部が嵌合部１７８とされていて、この嵌合部１７８が吐水管本体２４に一体回転状態に差込嵌合されている。ここで嵌合部１７８の内周面は上向きに大径となるテーパ面１８０とされている。
尚、回転スリーブ１７４の吐水管本体２４への挿入量は回転スリーブ１７４に設けられた環状の突起２００によって規定される。
この回転スリーブ１７４は、上下の一対の金属製のスリップリング１８２，１８４を介して保持孔１７６に回転可能に嵌合されている。
【００４２】
またＯリング１８６によってこの回転スリーブ１７４と保持孔１７６との間が水密にシールされている。
尚図１２に示すように本体部１４は、カウンター１２に対し取付穴１８８においてアダプタ装置１９０を介してカウンター１２から起立する状態に取付固定されている。
【００４３】
図６に示しているようにインナ部材１２６は、吐水管本体２４と対応した湾曲形状をなしてその内部に挿入される樹脂製の第１部分１２６-１と、回転スリーブ１７４内に挿入される第２部分１２６-２とに管軸方向に２分割されている。
インナ部材１２６の主体をなす第１部分１２６-１は、図６及び図１１に示しているようにその横断面形状が概略コ字形状をなしている。詳しくはこの第１部分１２６-１は、一対の側壁部１９２と、後壁部１９４とを有していて、その内側にホース２０の収納空間を形成している。
【００４４】
一対の側壁部１９２と後壁部１９４とのそれぞれには、外面にそれぞれ管軸方向に沿って延びるリブ１９６，１９８が設けられており、それらリブ１９６，１９８によって、第１部分１２６-１の吐水管本体２４内における位置決めがなされる。
後壁部１９４から後方に起立した一対のリブ１９８は、後壁部１９４とともに内側に電気配線１７２の挿入空間を形成しており、そこに電気配線１７２が管軸方向に沿って収納されている。
【００４５】
一方上記第２部分１２６-２は、図１４に示しているように直管状をなす回転スリーブ１７４に沿った管軸方向のストレート形状且つ全体として平板状をなしている。
詳しくはこの第２部分１２６-２は、その本体をなす平板部２０２と、幅方向両端から起立する立上がりの小さな一対のリブ２０４とを有しており、それらによって上記の電気配線１７２の収納空間を形成している。
【００４６】
この第２部分１２６-２の上端部には、上向きに突出する係合部２０６が幅方向両端部に設けられている。これら係合部２０６は突起状の当接部２０８を有している。
ここで係合部２０６は、図１３（Ａ）に示しているように第１部分１２６-１の一対のリブ１９８の間に上向きに挿入され、そして一対の当接部２０８がそれらリブ１９８の各内面に当接させられている。
【００４７】
一方この第２部分１２６-２の下端部、詳しくは下端近傍位置には上記のスリップリング１８４が一体に備えられている。
このスリップリング１８４は、図１３に示しているように回転スリーブ１７４の外周面よりも径方向外側に位置しており、図１５に詳しく示しているように一対のブリッジ部２１０によって第２部分１２６-２と繋がれている。
他方回転スリーブ１７４には、各ブリッジ部２１０に対応する位置において、各ブリッジ部２１０を径方向に通す一対のスリット２１２が形成されている。
【００４８】
即ち本実施形態では、このスリット２１２を径方向に挿通する一対のブリッジ部２１０によって、回転スリーブ１７４内の第２部分１２６-２と外側のスリップリング１８４とが一体化されている。
これらブリッジ部２１０及びスリット２１２はまた、第２部分１２６-２を回転スリーブ１７４とともに共回りさせるための共回り手段を構成している。
【００４９】
図１５〜図１７は、インナ部材１２６の組付けの手順を示している。
図１５（Ｉ）に示しているように、ここでは先ずインナ部材１２６の主体をなす湾曲形状の第１部分１２６-１を吐水管本体２４内に管軸方向に挿入する。
このとき、第１部分１２６-１は回転スリーブ１７４の上端面に当る位置まで吐水管本体２４の上端側の開口からその内部に挿入する。
その後第２部分１２６-２を上端側から回転スリーブ１７４内に上向きに挿入し、そしてその上端部の一対の係合部２０６を第１部分１２６-１の一対のリブ１９８内に挿入係合させ、そしてそれら係合部２０６に設けた一対の当接部２０８を、各リブ１９８の内面に当接させる。
尚この第２部分１２６-２の挿入端は、平板部２０２の上端が第１部分１２６-１の後壁部１９４の下端に当接することによって規定される。
【００５０】
この第２部分１２６-２の回転スリーブ１７４内への挿入時に、一対のブリッジ部２１０を回転スリーブ１７４の一対のスリット２１２を通じて上向きに移動させる。
そして第２部分１２６-２を一杯まで上向きに挿入した段階で、スリップリング１８４が回転スリーブ１７４の下端部の外周面の外側に位置した状態となる。
【００５１】
このようにして第１部分１２６-１と第２部分１２６-２とを吐水管本体２４及び回転スリーブ１７４に組付けた状態において、第１部分１２６-１の平板状の後壁部１９４と第２部分１２６-２の平板部２０２とによって、ホース２０と電気配線１７２との仕切りが吐水管本体２４及び回転スリーブ１７４全長に亘って形成される。
従ってホース２０が吐水ヘッド２２とともに引き出されまたは収納される際に、ホース２０と電気配線１７２とが擦れ合ったり絡み合ったりするのが良好に防止される。
更にまた、吐水管本体２４の回転時において第１部分１２６-１と第２部分１２６-２とが一体に回転スリーブ１７４とともに回転するため、回転によって吐水管本体２４及び回転スリーブ１７４内においてホース２０や電気配線１７２が捩れたりするのが良好に防止される。
【００５２】
以上のように本実施形態は、インナ部材１２６を第１部分１２６-１と第２部分１２６-２との分割構成とすることによって、回転スリーブ１７４内の狭い空間にも容易にインナ部材１２６を挿入することができる。
従って本実施形態によれば、インナ部材１２６の挿入のために吐水管１６を太くしなくても良く、かかる吐水管１６を細く構成し得て、吐水管１６のデザイン性・外観を良好に保持することができる。
【００５３】
また本実施形態では第２部分１２６-２の下端部に、かかる第２部分１２６-２を回転スリーブ１７４とともに水栓の本体部１４に対して回転させるためのスリップリング１８４を一体に備えていることから、スリップリング１８４を別部品として必要とせず、所要部品点数を少なくすることができ、従ってまた組付けの手間も簡略化することができる。
【００５４】
また本実施形態では、スリップリング１８４と第２部分１２６-２とをブリッジ部２１０にて径方向に繋ぐとともに、回転スリーブ１７４にはそのブリッジ部２１０を径方向に通すためのスリット２１２を設けておくことで、スリップリング１８４を回転スリーブ１７４の外側に位置させながら、かかるスリップリング１８４と第２部分１２６-２とを一体構成となすことができる。
【００５５】
更に本実施形態では、第１部分１２６-１と第２部分１２６-２とを共回りさせる共回り手段が設けてあることから、吐水管１６及び回転スリーブ１７４内において第１部分１２６-１と第２部分１２６-２とが相対回転することによりホース２０や電気配線１７２に捩れが生ずるのを良好に防止することができる。
【００５６】
図１８及び図１９は本発明の他の実施形態を示している。
この実施形態では、給水元管からの水及び給湯元管からの湯をそれぞれ上記のようなバルブユニットを経由することなく、直接本体部１４内の混合弁５８に供給するようにし、そして流出路６２を構成する流出管４２とホース２０とを接続するカプラ２２０に、流出路６２を開閉する電磁弁２２２を設けている。
即ちここでは、温調された湯を吐水口１８から吐水させ又は止水するための電磁弁２２２を混合弁５８の２次側に設けている。
【００５７】
また一方、混合弁５８の上流部において給水路５４から第２の給水路２２４を分岐して延び出させ、その先端を流出路６２且つ電磁弁２２２の下流部に接続している。
この第２の給水路２２４上には、定流量弁７３と第２の給水路２２４を開閉する電磁弁２２６とが設けてある。
【００５８】
一方吐水管１６には、その上面に湯用センサ１１８と水用センサ１１６とが管軸方向に一列に設けられている。
但しここでは湯用センサ１１８が使用者に近い手前側（前側）に、また水用センサ１１６が奥側に設けられている。
【００５９】
この実施形態においても、使用者に近い手前側の湯用センサ１１８の検知距離が奥側の水用センサ１１６の検知距離よりも短く設定してあり、また湯用センサ１１８と水用センサ１１６とが実質的に同時に人体検知したときには、奥側の水用センサ１１６による人体検知が優先するようになしてある。
【００６０】
この実施形態では、第２の給水路２２４からの水が混合弁５８をバイパスして吐水口１８から水吐水されることから、水吐水の際の流量調節の機能は有しておらず、一定流量で吐水口１８から水吐水される。
【００６１】
図１９にカプラ２２０の内部構造が具体的に示してある。
同図に示しているように、ここではカプラ２２０に吐水の温度をその上流部で検出するための温度検出素子としてのサーミスタ１７０が電磁弁２２２と併せて組み付けられている。
更にまたこのカプラ２２０には、水抜栓１１０と電磁弁２２２の主弁をなすダイヤフラム弁９８を開放させる開放操作部材１１２が組み込まれている。
【００６２】
図２０は本発明の更に他の実施形態を示したもので、ここでは第２の給水路２２４に代えて浄水路６４を設け、それに対応して吐水管１６の上面に湯用センサ１１８と浄水用センサ１２０とを管軸方向に一列に且つ湯用センサ１１８を使用者に近い手前側に、浄水用センサ１２０を奥側に設けている。
【００６３】
この例においても、湯用センサ１１８及び浄水用センサ１２０のうち、使用者に近い手前側の湯用センサ１１８に対して奥側の浄水用センサ１２０が優先され、またその検知距離は、奥側の浄水用センサ１２０に対し手前側の湯用センサ１１８の検知距離が短く設定されている。
この実施形態の場合、水吐水に代えて浄水吐水が行われる以外は図１８及び図１９に示す実施形態と基本的に同様である。
【００６４】
図２１は本発明の更に他の実施形態を示している。
この実施形態は、図１８及び図１９に示す第２の給水路２２４，図２０の実施形態における浄水路６４を省略した形態のもので、吐水管１６には湯用センサ１１８のみが設けられている。
他の点については図１８〜図２０に示す実施形態と同様である。
【００６５】
以上本発明の実施形態を詳述したがこれはあくまで一例示であり、本発明は例えば人体検知センサが接触式のものである場合においても適用可能であるし、また場合によって回転スリーブを吐水管本体に一体に構成するといったことも可能であるなど、本発明はその趣旨を逸脱しない範囲において種々変更を加えた形態で構成可能である。
【図面の簡単な説明】
【００６６】
【図１】本発明の一実施形態である自動水栓を示す図である。
【図２】同実施形態の自動水栓の流路を示す図である。
【図３】同実施形態の吐水管と各種センサを示す図である。
【図４】図３の吐水管の内部構造を示す断面図である。
【図５】図４における吐水ヘッドを吐水管本体から離した際の図である。
【図６】図４の分解斜視図である。
【図７】図６の一部を詳しく示した図である。
【図８】同実施形態における各人体検知センサを示した図である。
【図９】浄水吐水を行う際の図である。
【図１０】同実施形態における流路切換えの説明図である。
【図１１】同実施形態におけるインナ部材を水栓の本体部の一部とともに示す断面図である。
【図１２】同実施形態における水栓の本体部を周辺部とともに示す断面図である。
【図１３】同実施形態における回転スリーブと周辺部を示す断面図である。
【図１４】同実施形態における回転スリーブとインナ部材とを分解して示す分解図である。
【図１５】同回転スリーブとインナ部材との組立ての手順の説明図である。
【図１６】図１５に続く手順の説明図である。
【図１７】図１６に続く手順の説明図である。
【図１８】本発明の更に他の実施形態を示す図である。
【図１９】図１８におけるカプラの内部構造を詳しく示した図である。
【図２０】本発明の更に他の実施形態を示す図である。
【図２１】本発明の更に他の実施形態を示す図である。
【符号の説明】
【００６７】
１４  本体部
１６  吐水管
２０  ホース
２２  吐水ヘッド
５２  コントローラ（制御部）
１１６  水用センサ（人体検知センサ）
１１８  湯用センサ（人体検知センサ）
１２０  浄水用センサ（人体検知センサ）
１２６  インナ部材
１２６-１  第１部分
１２６-２  第２部分
１７２  電気配線
１７４  回転スリーブ
１８４  スリップリング
２１０  ブリッジ部
２１２  スリット
【図１】
2006144326.tif 000003
【図２】
2006144326.tif 000004
【図３】
2006144326.tif 000005
【図４】
2006144326.tif 000006
【図５】
2006144326.tif 000007
【図６】
2006144326.tif 000008
【図７】
2006144326.tif 000009
【図８】
2006144326.tif 000010
【図９】
2006144326.tif 000011
【図１０】
2006144326.tif 000012
【図１１】
2006144326.tif 000013
【図１２】
2006144326.tif 000014
【図１３】
2006144326.tif 000015
【図１４】
2006144326.tif 000016
【図１５】
2006144326.tif 000017
【図１６】
2006144326.tif 000018
【図１７】
2006144326.tif 000019
【図１８】
2006144326.tif 000020
【図１９】
2006144326.tif 000021
【図２０】
2006144326.tif 000022
【図２１】
2006144326.tif 000023